(57)【特許請求の範囲】
【請求項１】
手作業を排除して機械的に製造可能で、全て紙製で実現されるカレンダー類又は書籍類の製造方法であって、
基体部と突出部とで櫛歯状に構成された連結紙材を、含水状態でクセを付けて乾燥させることで、閉塞しないリング状の断面略Ｃ字状に予め形成しておく工程と、
前記カレンダー類又は書籍類の全ページを重ね合わせて位置決めした状態で、前記連結部材を機械的に回転させて、前記全ページに形成されている矩形穴に、前記連結部の前記突出部を挿入して貫通させる工程と、
その後、一本の接着ノズルを移動させつつ間欠的に接着材を出力するか、或いは、前記突出部に対応して配置された複数個の接着ノズルから接着材を出力することで、前記突出部の先端に接着材を塗布する工程と、
前記突出部を閉塞状態に向けて押圧した状態で、前記接着材の塗布面に前記基体部を押圧し、この状態を所定時間維持する工程と、
を備えて完成されることを特徴とするカレンダー類又は書籍類の製造方法。
【請求項２】
前記カレンダー類は、１枚のカレンダー表紙と複数枚のカレンダー本体とからなり、前記カレンダー表紙の他端側には、断面Ｕ字状の固定紙材が接着され、
前記固定紙材とカレンダー表紙との間には、カレンダー本体の下端部を収納可能な隙間が形成されていることを特徴とする請求項１に記載のカレンダー類の製造方法。
【請求項３】
前記矩形穴への挿通作業は、少なくとも一部が円筒形状の案内部材に沿って連結紙材を回転させて実現される請求項１又は２に記載の製造方法。
【発明の詳細な説明】
【０００１】
【発明の属する技術分野】
本発明は、プラスチックや金属を全く含まないカレンダー類や書籍類の製造方法に関するものである。
【０００２】
【従来の技術】
図９（ａ）は、従来のカレンダーを示す正面図である。このカレンダーは、折返し部４０ａを有するカレンダー表紙４０と、６枚又は１２枚からなるカレンダー本体４１と、折返し部４０ａと係合してカレンダー表紙４０を保持する保持部材４２と、カレンダー表紙４０及びカレンダー本体４１の矩形穴４４に挿入されて全体を束ねるリング状の連結部材４３とで構成されている。ここで、保持部材４２及び連結部材４３は共にプラスチック製である。
【０００３】
リング状の連結部材４３をカレンダーに装着するには、先ず、適宜な補助部材を用いて、丸まろうとする連結部材４３の付勢力に逆らって、連結部材４３を押し広げる（図１０の矢印参照）。次に、この状態の連結部材４３に、カレンダー表紙４０及びカレンダー本体４１を降下させた後、補助部材を除去して連結部材４３を弾発的に矩形穴４４に挿入し、連結部材４３を元のリング形状に戻している。
【０００４】
また、保持部材４２をカレンダーに装着する際には、カレンダー表紙４０の折返し部４０ａを保持部材４２に係合させる必要があるので、図１１（ｂ）に示すように、手作業によってカレンダー表紙４０に保持部材４２を挿入し、その後、カレンダー表紙４０を図１１の左側に引くことによって、折返し部４０ａを保持部材４２と係合させるようにしている。なお、使用を終えたカレンダー本体４１は順次めくり上げて、その下端部を保持部材４２に引っ掛けて保持している（図９（ｂ）参照）。
【０００５】
【発明が解決しようとする課題】
しかしながら、このようなカレンダーは、プラスチック製の部分が存在するので、簡単には焼却できないという問題がある。カレンダーは、日本中の全家庭から１２月に一斉にゴミとして出されるという性格があるので、焼却工場の正月休み迄に、これを処分するのが大変であり、安易に焼却すると公害問題のおそれもあった。しかも、従来のカレンダーは、例えば、図１１（ｂ）〜（ｃ）において手作業が不可欠であり、生産効率が悪い上に製造コストが高いという問題もあった。
【０００６】
また、従来は、各企業で少量だけ製造するマニュアル類などの自作書類において、背表紙にもペンなどで自由な記入が可能であり、しかも、特定ページを簡単に差し替えできるものがなく不便であった。
【０００７】
この発明は、上記の問題点に鑑みてなされたものであって、全て紙製で実現され、しかも手作業を排除して機械的に製造可能なカレンダー類や書籍類の製造方法を提供することを課題とする。
【０００８】
【課題を解決するための手段】
上記の課題を解決するため、本発明に係るカレンダー類又は書籍類の製造方法は、手作業を排除して機械的に製造可能で、全て紙製で実現されるカレンダー類又は書籍類の製造方法であって、基体部と突出部とで櫛歯状に構成された連結紙材を、含水状態でクセを付けて乾燥させることで、閉塞しないリング状の断面略Ｃ字状に予め形成しておく工程と、前記カレンダー類又は書籍類の全ページを重ね合わせて位置決めした状態で、前記連結部材を機械的に回転させて、前記全ページに形成されている矩形穴に、前記連結部の前記突出部を挿入して貫通させる工程と、その後、一本の接着ノズルを移動させつつ間欠的に接着材を出力するか、或いは、前記突出部に対応して配置された複数個の接着ノズルから接着材を出力することで、前記突出部の先端に接着材を塗布する工程と、前記突出部を閉塞状態に向けて押圧した状態で、前記接着材の塗布面に前記基体部を押圧し、この状態を所定時間維持する工程と、を備えて完成される。
【０００９】
ここで書籍類は、好適には、各企業で少量だけ製造するマニュアルなどの自作書類や、各個人用のプライベート書籍である。これらの書籍類は、矩形穴に挿通させる工程と、連結紙材の終端部同士を接着してリング状に形成する工程とを自動的に実現する製本装置によって製本される。この製本装置には、断面略Ｃ字状に形成された連結紙材だけを材料として供給すれば良い。なお、矩形穴に挿通する工程に先立って、矩形穴を機械的に一気に形成する工程を設けるのが好適である。
【００１０】
また、請求項２に係る発明は、請求項１に係る発明において、１枚のカレンダー表紙と複数枚のカレンダー本体とからなり、前記カレンダー表紙の他端側には、断面Ｕ字状の固定紙材が接着され、前記固定紙材とカレンダー表紙との間には、カレンダー本体の下端部を収納可能な隙間が形成されているカレンダー類の製造方法である。
【００１１】
請求項１又は２の方法は、好適には、連結紙材を回転させて、連結紙材を矩形穴に挿通させる工程と、その状態で連結紙材の一端側の外表面に間欠的に接着材を配置する工程と、その後、接着材の配置された塗布面を押し下げると共に、押し下げられた塗布面に連結紙材の他端側を重ねて押し付ける工程とを備えており、更に好適には、矩形穴に挿通する工程に先立って、矩形穴を機械的に一気に形成する工程を備えている。
【００１２】
【発明の実施の形態】
以下、本発明の実施の形態を実施例に基づいて詳細に説明する。図１は、本発明をカレンダーに適用した実施例を図示したものである。このカレンダーは、カレンダー表紙１と、１年間を例えば１月毎に表示した１２枚のカレンダー本体２(1)〜２(12)と、カレンダー表紙１に接着された断面Ｕ字状の固定紙材３と、カレンダー表紙１及びカレンダー本体２の矩形穴４に挿入されて全体を束ねる連結紙材５とで構成されている。
【００１３】
本実施例のカレンダーには、金属やプラスチック材が全く使用されておらず、全てが紙材で構成されている。そのため、製造コストが安価であるだけでなく、公害問題などを心配することなく焼却処理が可能となる。また、固定紙材３や連結紙材５についても、企業名や商品広告などのための印刷面として有効に活用できる。更にまた、針金などを全く使用しないので、使用時にユーザがケガをするおそれもない。
【００１４】
なお、カレンダー表紙１の裏面１０は、１月のカレンダー本体２(1)用の描画面であり、１月に相応しい写真や絵などが描かれている。同様に、Ｎ月のカレンダー本体２(N)の裏面は、Ｎ＋１月のカレンダー本体２(N+1)用の描画面であり、Ｎ＋１月に相応しい写真や絵などが描かれている。そして、Ｎ月からＮ＋１月に移行すれば、Ｎ月のカレンダー本体２(N)をめくり上げて、その下端部を固定紙材３に挟着させて保持するようにしている。
【００１５】
固定紙材３には、その中央部にカレンダーを吊り下げるための貫通穴３０が、カレンダー表紙１を貫通して設けられている。また、固定紙材３は、詳細には、前方下端部３ａと、部分接着部３ｂと、折返し部３ｃと、全面接着部３ｄとで構成されており（図１（ｂ）参照）、折返し部３ｃで折返されることによって断面Ｕ字状に形成されている。全面接着部３ｄは、固定紙材３とカレンダー表紙１の表面上部１ａとを全面接着する部分であり、一方、部分接着部３ｂは、カレンダー表紙１の裏面上部１ｂに盛られた接着材７によって、カレンダー表紙１の裏面上部１ｂと固定紙材３とを部分的に接着する部分である。ここで、全面接着部３ｄと部分接着部３ｂとは、ほぼ同一長に形成されている。
【００１６】
なお、接着部７によって所定の高さが形成されること、及び、固定紙材３（具体的には部分接着部３ｂ）が適宜に撓んで広がることによって、固定紙材３とカレンダー表紙１の裏面１０との間に形成された隙間には、最高１１枚のカレンダー本体２（１月〜１１月まで）の下端部を収容することが可能となる。この際、全面接着部３ｄと部分接着部３ｂとがほぼ同一長であるので、収容したカレンダー本体２の下端部を確実に保持することができる。
【００１７】
図３に示すように、連結紙材５は、基体部８と突出部９とで櫛歯状に形成された紙製の材料からなる。この連結紙材５は、具体的には、全体をリング状に湾曲させて、突出部９をカレンダー本体２の矩形穴４に挿通した後、突出部９の先端を、基体部８の一部に接着させて構成されている。そのため、湾曲形成する際にクセを付けやすく、且つ、カレンダー使用時にも破れることがないよう、厚さ１ｍｍ弱程度で且つ丈夫な紙材料が選択される。なお、印刷容易な紙材料を選択すれば、突出部９を印刷面として使用することもでき、例えば、カレンダーの提供主の電話番号などを印刷することも可能となる。
【００１８】
続いて、実施例に係るカレンダーの製造方法を説明する。先ず、図２を参照しつつ、カレンダー表紙１と固定紙材３との接着から説明する。前方下端部３ａと折返し部３ｃに折りクセを付けた状態の固定紙材３を広げて、全面接着部３ｄに接着材６を全面的に塗布する。その後、全面接着部３ｄにカレンダー表紙１の表面上部１ａを重ねて接着させる（図２（ａ））。なお、カレンダー表紙１の裏面１ｂは、１月用の描画面であるのは先に説明した通りである。
【００１９】
次に、カレンダー表紙１の表面上部１ｂに接着材７を間欠的に配置する。なお、間欠的に配置することに特に限定されるものではなく、カレンダーの幅方向にライン状に接着材７を配置しても良い。また、接着材は特に限定されないが、ホットメルトタイプの接着材が好適に使用される。そして、接着材７が固化する前に、固定紙材３を折返し部３ｃで折返し、部分接着部３ｂをカレンダー表紙１に押し付けて、両者を一体化させる。
【００２０】
その後、カレンダーを吊り下げるための貫通穴３０を形成するが、全ての作業は機械的に実行されるので、従来のような人手を要しない分だけ製造効率が良い。以上の作業が終われば、次に、カレンダー表紙１とカレンダー本体２とを重ね合わせ、全てを位置決めした状態で複数の矩形穴４を一気に形成する。なお、この矩形穴４の個数は、連結紙材５の突出部９の個数と同数であり、且つ、矩形穴４の大きさは、連結紙材５の突出部９を受け入れるに十分な大きさであることは勿論である。
【００２１】
次に、形成された矩形穴４に連結紙材５を挿通するが、連結部材５は、図３に示す櫛歯状の状態から、予めリング状に形成されている。具体的には、先ず、界面活性剤を含んだ処理水に連結紙材５を浸すなどして含水状態にし、含水状態のままで、補助部材に巻き付けてリング状にクセをつけ、この状態のままで乾燥させて完成される。なお、乾燥状態では、図５や図４（ａ）に示すように、断面略Ｃ字状であり、閉塞しないリング状となっている。なお、連結紙材５に適度な弾力を持たせるために、処理水には、界面活性剤と共に硬化剤を含有させておいても良い。
【００２２】
このように断面略Ｃ字状に形成された連結紙材５は、図５に示すように、カレンダー表紙１及びカレンダー本体２の矩形穴４に対面され、位置決めされた状態で連結紙材５を回転させ、突出部９の先端が矩形穴４に挿入する（図４（ａ））。この挿入作業は自動的に行われるが、図６に示すように、左右両端部に配置されて、リング状の連結紙材５を内側から支える案内部材１１と、連結紙材５の外側から案内部材１１に向けて軽く押圧される回転部材１２ａ，１２ｂとを使用して行われる。なお、回転部材１２ａ，１２ｂは、連結紙材５の両端において同期して回転するのは勿論である。なお、案内部材１１は、Ｃ字状の連結紙材５に沿う部分を有していれば良いが、図示のように、少なくとも一部が円筒形状であるのが効果的である。
【００２３】
図５の状態から連結紙材５が所定角度だけ回転して一時停止すると、図４（ａ）の状態から図４（ｂ）の状態に移行することになる。そこで、次に、図４（ｂ）の状態で、接着ノズル１３から接着材を間欠的に出力させて、連結紙材５の突出部９に接着材を載せてゆく。接着ノズル１３は、具体的には、図７（ａ）に示すように、連結紙材５の長さ方向に、突出部９の１ピッチ分（＝Ｌ）移動するごとに一時停止して接着材を出力している。但し、図７（ｂ）に示すように、突出部９のピッチに合わせて配置された複数の接着ノズルを一斉に降下させて接着材を出力したのでもよい。
【００２４】
本実施例では、このような塗布動作を採用しているので、接着材が連結紙材５の他の部分に付着することが防止される。なお、接着材が連結紙材５の他の部分に垂れてしまうと、隣接するカレンダー本体同士が接着されて、カレンダー本体２をめくり上げることができなくなる。
【００２５】
このようにして突出部９の先端に接着材を配置したら、続いて、連結紙材５を更に回転させて図４（ｂ）の状態から、更に図４（ｃ）の状態にする。この状態において、連結紙材５の下部を固定台１４で保持すると共に、上部から押下げ板１５を降下させて突出部９を押し下げると共に、その後で、押圧板１６を押し出すことによって基体部８を押圧する（図４（ｃ））。なお、連結紙材５には、元の状態の戻ろうとする適度な弾力があるので、押圧板１６によって所定時間押圧することによって、突出部９と基体部８とは確実に接着される。
【００２６】
以上説明したように、図１に示すカレンダーは全ての作業が機械的に実施されるので、人件費を抑制できる分だけ、製造コストを大きく抑えることができる。また、全ての部材が紙製であるので、材料費を抑えることができる上に、廃棄処分が簡単である。すなわち、金属部分がないので廃棄時にケガをするおそれがなく、またプラスチック製の部分もないので安心して焼却できる。
【００２７】
また、略Ｃ字状に形成された連結紙材５（図５参照）の提供さえ受ければ、簡単な製造装置によって、図２（ａ）〜図２（ｃ）や図４（ａ）〜図４（ｃ）の製造工程を実現できるので、小規模な会社でも簡単にカレンダーを製造することができる。
【００２８】
また、図４（ａ）〜図４（ｃ）の製造工程だけ実現できる製造装置であっても、各企業で少量だけ製造する社内マニュアルなどを簡単に製造することもできる。図８は、本発明をマニュアル類に適用した第２実施例を図示したものである。この実施例の場合も、各ページに形成された矩形穴４に連結紙材５を挿入した後、突出部９と基体部８とを接着させて各ページを束ねている。なお、ここで使用する製本装置は、図４（ａ）〜図４（ｃ）の製造工程だけ実現できれば良いので、各企業において所有することができる。
【００２９】
図８に示すマニュアル類は、各ページのコピー作業などが容易であるだけでなく、連結紙材５の基体部８が紙製であるから、使用年度などの適宜な文字を書き込むことができ、保存や後日の取出しに極めて好適である。また、マニュアル類の特定ページのみを差し替える場合には、連結紙材５をハサミで切断して、再度、製本すれば良い。一方、連結紙材５の使用を総務部などで管理しておけば、連結紙材５に記入した日時や責任部署名と、一連のページ番号などによって、書籍の封緘機能を実現することもできる。
【００３０】
以上、本発明の実施例について具体的に説明したが、具体的な記載内容は特に本発明を限定するものではない。例えば、図８はマニュアル類であると説明したが、図４（ａ）〜図４（ｃ）の製造工程だけ実現できるコンビニエンスストアなどに設置しておけば、各個人のプライベート書類を簡単に製本することもできる。すなわち、各人の持ち込んだ書類について、矩形穴４を形成した後、連結紙材５を装着するだけで、各人固有の自作書類を製本することができる。
【００３１】
なお、連結紙材５や固定紙材３は全て紙製であるから、例えば、香料などを含浸させておけば、アロマセラピー効果などを発揮させることもできる。
【００３２】
【発明の効果】
以上説明したように、本発明によれば、全て紙製で実現され、しかも手作業を排除して機械的に製造可能なカレンダー類や書籍類を実現できる。
【図面の簡単な説明】
【図１】第１実施例に係るカレンダーの正面図（ａ）と、固定紙材の右側面拡大図（ｂ）である。
【図２】カレンダー表紙と固定紙材との接着を説明する図面である。
【図３】連結紙材の展開状態を図示したものである。
【図４】連結紙材の装着方法を説明する図面である。
【図５】連結紙材をカレンダー表紙やカレンダー本体に装着する直前の状態を示す図面である。
【図６】連結紙材を回転させる補助部材を図示したものである。
【図７】連結部材に接着材を載せる方法を説明する図面である。
【図８】第２実施例に係るマニュアル類の正面図である。
【図９】従来のカレンダーを示す正面図（ａ）と、右側面図（ｂ）である。
【図１０】連結部材をカレンダー表紙やカレンダー本体に装着する方法を説明する図面である。
【図１１】カレンダー表紙に保持部材を装着する方法を説明する図面である。
【符号の説明】
１  カレンダー表紙
２  カレンダー本体
３  固定紙材
４  矩形穴
５  連結紙材
【図１】
0003691810.tif 000002
【図２】
0003691810.tif 000003
【図３】
0003691810.tif 000004
【図４】
0003691810.tif 000005
【図５】
0003691810.tif 000006
【図６】
0003691810.tif 000007
【図７】
0003691810.tif 000008
【図８】
0003691810.tif 000009
【図９】
0003691810.tif 000010
【図１０】
0003691810.tif 000011
【図１１】
0003691810.tif 000012